(57)【要約】【課題】  レイアウトされたデザインを評価するデザイン生成装置において、ユーザが作成したデザインを評価した結果、デザイン的に良くない個所をユーザに知らしめることでプロに負けない訴求力のあるレイアウトを簡単に作成できるデザイン生成装置を提供すること。【解決手段】  デザインレイアウトを生成するための生成装置であって、デザイン自動評価の結果警告個所を含む領域を印刷する手段と、警告個所印刷可否を決定する手段と、警告領域と警告メッセージを同時に印刷する手段と、警告個所の領域を設定表示する手段と、警告個所の領域を拡大縮小する手段とを備える事を特徴とする。【選択図】  図９
2008147852.tif 000002
【特許請求の範囲】
【請求項１】
レイアウトされたデザインを評価するデザイン生成装置において、
評価の結果警告を表示する手段と、
警告個所を含むページ領域の一部を印刷する手段と、
を有することを特徴とするデザイン生成装置。
【請求項２】
前記印刷する手段において警告の内容によって警告個所を含むページ領域の印刷可否を決定する警告個所印刷可否決定手段を有することを特徴とする請求項１に記載のデザイン生成装置。
【請求項３】
前記警告個所印刷可否決定手段において印刷可が決定されるとユーザに印刷を選択させるボタンを表示する印刷ボタン表示手段を有することを特徴とする請求項２に記載のデザイン生成装置。
【請求項４】
前記印刷ボタン表示手段においてユーザが印刷するを選択すると警告個所を含むページ領域の一部を印刷する警告領域印刷手段を有することを特徴とする請求項３に記載のデザイン生成装置。
【請求項５】
前記警告領域印刷手段において警告個所の領域と警告メッセージを同時に印刷する警告メッセージ同時印刷手段を有することを特徴とする請求項４に記載のデザイン生成装置。
【請求項６】
前記警告メッセージ同時印刷手段において、警告メッセージと警告部分を一緒に印刷するかもしくは警告個所領域のみを印刷するかをユーザに選択させる警告メッセージ同時印刷選択手段を有することを特徴とする請求項５に記載のデザイン生成装置。
【請求項７】
レイアウトされたデザインを評価するデザイン評価手段と、
デザイン評価手段による評価結果にしたがって、印刷可否の区別を自動で決定する決定手段、
を有することを特徴とするデザイン生成装置。
【請求項８】
前記決定手段において印刷可と決定されると、印刷範囲を自動で初期設定表示する印刷範囲表示手段を有することを特徴とする請求項７に記載のデザイン生成装置。
【請求項９】
前記印刷範囲表示手段において指定した範囲をユーザ操作により拡大縮小する印刷範囲拡大縮小手段を有することを特徴とする請求項８に記載のデザイン生成装置。
【請求項１０】
レイアウトされたデザインを評価するデザイン生成方法において、
評価の結果警告を表示する工程と、
警告個所を含むページ領域の一部を印刷する工程と、
を有することを特徴とするデザイン生成方法。
【請求項１１】
前記印刷する工程において警告の内容によって警告個所を含むページ領域の印刷可否を決定する警告個所印刷可否決定工程を有することを特徴とする請求項１０に記載のデザイン生成方法。
【請求項１２】
前記警告個所印刷可否決定工程において印刷可が決定されるとユーザに印刷を選択させるボタンを表示する印刷ボタン表示工程を有することを特徴とする請求項１１に記載のデザイン生成方法。
【請求項１３】
前記印刷ボタン表示工程においてユーザが印刷するを選択すると警告個所を含むページ領域の一部を印刷する警告領域印刷工程を有することを特徴とする請求項１２に記載のデザイン生成方法。
【請求項１４】
前記警告領域印刷工程において警告個所の領域と警告メッセージを同時に印刷する警告メッセージ同時印刷工程を有することを特徴とする請求項１３に記載のデザイン生成方法。
【請求項１５】
前記警告メッセージ同時印刷工程において、警告メッセージと警告部分を一緒に印刷するかもしくは警告個所領域のみを印刷するかをユーザに選択させる警告メッセージ同時印刷選択工程を有することを特徴とする請求項１４に記載のデザイン生成方法。
【請求項１６】
レイアウトされたデザインを評価するデザイン評価工程と、
デザイン評価工程による評価結果にしたがって、印刷可否の区別を自動で決定する決定工程、
を有することを特徴とするデザイン生成方法。
【請求項１７】
前記決定工程において印刷可と決定されると、印刷範囲を自動で初期設定表示する印刷範囲表示工程を有することを特徴とする請求項１６に記載のデザイン生成方法。
【請求項１８】
前記印刷範囲表示工程において指定した範囲をユーザ操作により拡大縮小する印刷範囲拡大縮小工程を有することを特徴とする請求項１７に記載のデザイン生成方法。
【請求項１９】
請求項１０〜１８のいずれかの方法をコンピュータに実行させるデザイン生成プログラム。
【発明の詳細な説明】
【技術分野】
【０００１】
本発明は、記憶装置上のテキストデータや画像データをディスプレイへ表示、かつ印刷装置へ出力するデザイン生成装置に関する分野である。
【背景技術】
【０００２】
これまでパーソナルコンピュータ上で動作する、ポスターを作製するためのさまざまなアプリケーションソフトウエアがリリースされており、それらの多くは大判プリンタへの印刷を前提としている。Ａ１，Ａ０，Ｂ０の用紙サイズを扱う大判プリンタへの印刷は、そのデータ量も飛躍的に多く、従いパーソナルコンピュータや大判プリンタの高性能化が進んでいる現在にあってもユーザにとってはポスターの作成から印刷までに至る工程は相当の時間を費やしている。特にデザイナーのようなプロのノウハウを持ち合わせていないユーザにとって訴求力のあるポスターを作製することは非常に難しい。
【０００３】
そこでプロのノウハウをソフト上に持たせユーザ作成のポスターデザインを自動的に評価するシステムがパーソナルコンピュータ上で動作するようになってきた。この自動的に評価するシステムが、ユーザの作成したポスターデータを評価した結果、修正を勧めたい場所をユーザに知らせる為にディスプレイ上に警告メッセージを表示するシステムが求められるようになってきた。このようなデザイン評価システムで警告メッセージを告知する技術に関する特許は以下のような文献がある。
【特許文献１】特開平５−２０４００号公報
【発明の開示】
【発明が解決しようとする課題】
【０００４】
特許文献１は広告が掲示された情景を事前に計算機システムを用いて評価することによって、適切な大きさ、デザインＰＯＰ広告やポスター等の掲示広告類を作成し、また正確な貼付位置を指示する広告作成装置を提供することを目的としている。この特許文献１では、掲示用広告がその広告が貼り付けられる背景イメージを明確にしないままで作成される為に、必ずしも背景や広告対象物に合った広告デザインになっておらず、店舗内の広告では什器や商品に合わないデザインになってしまう、作りすぎる等の不都合を第一の課題としてあげている。その為の方策としてデザインチェックの部分に関しては、警告すべきところの色を変更したりブリンク表示させたりブザーを鳴らせるなどの手段を用いている。しかしながらチェックの告知はそこまでで試しに警告部分がどのように印刷されるのかは、全てを印刷してみないと判らず、チェックの結果を十分ユーザに納得させることができないところが課題として存在している。
【課題を解決するための手段】
【０００５】
前述の課題を解決する為、本発明のデザイン生成装置では請求項１として評価の結果警告を表示する手段と警告個所を含むページ領域の一部を印刷する手段とを有することを特徴としている。
【０００６】
さらに請求項２として警告の内容によって警告個所を含むページ領域の印刷可否を決定する警告個所印刷可否決定手段を有することを特徴としている。
【０００７】
更に請求項３として印刷可が決定されるとユーザに印刷を選択させるボタンを表示する印刷ボタン表示手段を有することを特徴としている。
【０００８】
更に請求項４としてユーザが印刷するを選択すると警告個所を含むページ領域の一部を印刷する警告領域印刷手段を有することを特徴としている。
【０００９】
更に請求項５として警告個所の領域と警告メッセージを同時に印刷する警告メッセージ同時印刷手段を有することを特徴としている。
【００１０】
更に請求項６として警告メッセージと警告部分を一緒に印刷するかもしくは警告個所領域のみを印刷するかをユーザに選択させる警告メッセージ同時印刷選択手段を有することを特徴としている。
【００１１】
請求項７として、レイアウトされたデザインをソフトウエアで評価するデザイン生成装置において印刷可否の区別が自動で決定される手段を有することを特徴としている。
【００１２】
更に請求項８として印刷範囲を自動で初期設定表示する印刷範囲表示手段を有することを特徴としている。更に請求項９として指定した範囲をユーザが所望すれば拡大縮小する印刷範囲拡大縮小手段を有することを特徴としている。
【発明の効果】
【００１３】
請求項１から９によれば、記憶装置上のテキストデータや画像データをディスプレイへ表示、かつ印刷装置へ出力するデザイン生成装置において、デザインチェックの結果警告の内容によってその警告部分の印刷可否を決定させることでユーザが印刷を選択して警告内容を実際の印字で確認することができるようになる。今まで画面上で見るかもしくは、全てを印刷してみないと確認ができなかったことが本発明によって、警告を発した部分だけを印刷させることによって容易に確認することができるようになる。また用紙やインク節約の面からも無駄な印字を行わなくて済むようになった。
【発明を実施するための最良の形態】
【００１４】
（実施例）
以下では図１〜１１を交えて本発明の実施例を示す。
【００１５】
図９は本発明の一実施例となるデザイン生成装置の構成図である。図中、０−１はキーボード・マウスなどの入力装置、この装置を使って後述する警告領域の拡大縮小を行う。０−２はシステムのマネージメント制御を司るところでデザインデータの生成処理、デザインの評価を行う中央処理装置、０−３は表示に使用するディスプレイで、警告メッセージや警告領域を表示させる。０−４は該デザインデータやデザイン評価プログラム、デザイン生成プログラム、警告メッセージ、警告領域を格納するＲＡＭや一時記憶メモリ装置、０−５はデザインレイアウト、警告領域、警告メッセージを出力する印刷装置、０−６はフィルムスキャナやフラットベッドスキャナ、デジタルカメラをはじめとする画像入力装置、０−７はデザイン生成プログラム、デザイン評価プログラムが蓄積された外部記憶装置である。
【００１６】
図１０では、Ｆ１−１でデザイン自動評価が開始される。Ｆ１−２でユーザーの作成したデザインデータがメモリに蓄えられている前提で当該メモリにあるデータを検索していく。Ｆ１−３でデータをすべて読み終えたところで終了する。Ｆ１−２で検索されたデータはＦ１−４の判断で画像、文字、その他に分類しＦ１−５で各データ種類によって判断方法を分ける。
【００１７】
画像の場合Ｆ１−６、Ｆ１−７に行く。ここではまずＦ１−６において画像の大きさを判断する。具体的な例として作成されたデザインデータの用紙サイズがＡ０の時は、３０ｍｍ  Ｘ  ３０ｍｍ以下の画像はその当該デザインには小さ過ぎると判断する。前述した３０ｍｍ  Ｘ  ３０ｍｍの閾値はあらかじめプログラムでデータとして持たせても良いし、データベース化させて変更できる値としても良いが、本発明の説明ではその詳細は省略する。
【００１８】
Ｆ１−７においては画像の解像度を読み取り、Ｆ１−６と同じように出力用紙サイズに妥当と判断する解像度を閾値とし持たせ、その値よりも大なりか小なりで警告妥当な解像度か否かを判断する。Ｆ１−６、Ｆ１−７ともに警告メッセージを出す必要があると判断されるとＦ１−８の処理に行き警告メッセージを表示する。
【００１９】
Ｆ１−５で文字列と判断されるとＦ１−９，Ｆ１−１０の処理に行く。ここではまずＦ１−９で文字フォントの大きさをつかむ。そして出力用紙サイズと最低フォントサイズの関係を前述した閾値としてプログラムやデータベースに持たせ判断させる。フォントサイズが閾値よりも小さい場合Ｆ１−１１で警告メッセージを表示する。
【００２０】
Ｆ１−１０では文字フォント色とその背景にある色を比較して色のバランスが悪いと判断されるとＦ１−１１で警告メッセージを表示する。色のバランスは文字色と背景色のＲＧＢ値を比較して同系色とみなされる範囲を閾値として持たせ判断する。その範囲の値の中に入れば同系色として警告メッセージ表示、Ｆ１−１１処理する。
【００２１】
Ｆ１−１２では文字列の位置が用紙のマージンぎりぎりか否かを判断する。文字列が端にありすぎる場合Ｆ１−１１で警告メッセージを表示する。
【００２２】
図１ではＦ１−１１で警告メッセージを出す例を示した。図１−１は画像（にわとり）の解像度が低すぎる場合、当該画像の横にメッセージを出している。図１−２では「こんな小さな文字ポスタに向かないよ」の文字フォントサイズが小さい為出すメッセージである。図１−３では「大根」の文字色とその背景色が同系色で、文字が目立たない為に表示する警告メッセージである。図１−１はＦ１−８で、図１−２と図１−３はＦ１−１１で表示される。
【００２３】
図２では、図１で表示される内容を更に詳細に記した。図２−１ではユーザが試し印刷をすることができるようにチェックボックスが用意された警告メッセージを表示する。ここでユーザーがチェックボックスにチェックしＯＫを選択すれば当該にわとりの絵のみ印刷される。図２−２は表示上だけで確認すれば充分であると判断して印刷させる為のチェックボックスは表示していない。
【００２４】
図３では、図２の図２−１で実際に試し印刷が選択されＯＫが押され印字が行なわれた時の例を示した。図３−１では「私はカモメ」という文字列が小さすぎると判断して警告メッセージを出している。そして試し印刷  チェックボックスにチェックが付きＯＫを押押すと図３−２の如く「私はカモメ」部分のみがロール紙に印字されることになる。この時、出力用紙サイズに対する実際の印字位置は、無視され頁の先頭行から指定された領域を印字していくことになる。
【００２５】
図１１では警告メッセージを表示した時、試し印刷する場合その印字領域を初期指定すると共にユーザーによる領域変更にも対応し、更に警告メッセージ自体をも印刷する処理に関して説明を行なう。
【００２６】
まずＦ２−１において印字領域の初期設定を決めその部分の領域を枠で囲みユーザーに判らせるようにする。初期設定の領域は、判別した画像や文字列の領域の５分の１とか４分の１とかを定義しておき、その定義に従って領域を決めるのも一方法である。決定の仕方についてはいろいろな考え方があるので詳細の説明は省略する。ここで領域が決まり表示することによってユーザがどの部分に対して警告が出ているのか具体的に判る。
【００２７】
Ｆ２−２，Ｆ２−４、Ｆ２−５ではユーザによってこの領域を所望の大きさに変更する手順の処理である。ここで図９の０−１入力装置を使って例えばマウスドラッグによって大きさを変更する。変更が終了するまたは変更しない場合Ｆ２−３を通りＦ２−６処理に行く。警告メッセージも一緒に印字するかどうかの選択画面を表示する。ここでチェックがされているとＦ２−７で警告部分の印字が終了した後にＦ２−９でさらに警告メッセージが印字される。
【００２８】
図４ではＦ２−３で初期設定で表示される領域の例を示した。「大根」の文字列が背景色と同系色となっているところの周りを枠で囲んでいる。ユーザがこのまま試し印刷を実行すると当該領域部分が印字される。
【００２９】
図５では、Ｆ２−４でユーザが所望の領域にする為に領域の大きさを変更している例を示したものである。図５−１は、図４と同じ初期設定時の大きさである。図５−２は領域を前述した図９の０−１の入力装置で操作して拡大させ時を示したものである。この新しい領域はＦ２−５で設定される。図５−３は図５−１から前述した手順を用いて領域を小さくした時の図である。
【００３０】
図６では設定された領域を実際にロール紙に印字した例を示した。図６−１と図６−２では指定した印字領域が異なり、それぞれの領域に合った印字がされている。これらの印字も前述したように、実際のデザインの位置とは異なりその部分のみをロール紙の先頭から印字していく。
【００３１】
図７では、Ｆ２−８で警告部分の印字に加え更に警告メッセージも印字するを選択した時に実際印字される例を示した。警告メッセージは「文字色と背景色のバランスが良くありません」で、警告部分の領域を印字したその下に当該文書を印字している。図７−１と図７−２の違いは印字領域の差異である。
【００３２】
図８では、Ｆ２−６で警告部分の試し印字に加え、警告メッセージも一緒に印字するかの否かの選択をユーザにさせる表示例を示したものである。「試し印刷する＋メッセージ」が選択されると図７の印刷が行われる。
【００３３】
以上の実施例によって記憶装置上のテキストデータや画像データをディスプレイへ表示、かつ印刷装置へ出力するデザイン生成装置において、デザインチェックの結果警告の内容によってその警告部分の印刷可否を決定させることでユーザが印刷を選択して警告内容を実際の印字で確認することができるようになり、今まで画面上で見るかもしくは、全てを印刷してみないと確認ができなかったことが、警告を発した部分だけを印刷させることによって容易に確認することができるようになった。また用紙やインク節約の面からも無駄な印字を行わなくて済むようになった。更に本発明によってプロのデザインに負けない訴求力のあるポスター作りをユーザが用意に達成できるという効果をももたらした。
【産業上の利用可能性】
【００３４】
本発明は、記憶装置上のテキストデータや画像データをディスプレイへ表示、かつ印刷装置へ出力するデザイン生成装置に関するものである。
【図面の簡単な説明】
【００３５】
【図１】警告メッセージを例を示した図である。
【図２】印刷させることもできる画面とそうでない画面を対比させて示した図である。
【図３】警告部分を実際印刷させた例を示した図である。
【図４】印字する部分の領域を初期設定表示した例を示した図である。
【図５】領域を拡大縮小させた時の例を示した図である。
【図６】異なる領域で実際印刷させた例を示した図である。
【図７】異なる領域で実際印刷させた時、警告メッセージも一緒に印字した例を示した図である。
【図８】警告部分のみの印字か、警告メッセージも一緒に印字させるかのかを選択させる画面を示した図である。
【図９】本発明の一実施例となる画像処理装置の概念図である。
【図１０】デザイン評価を行いその結果警告メッセージを表示させるまでの処理の流れを表した図である。
【図１１】印刷領域を初期設定し表示するところから実際印字するまでの処理の流れを表した図である。
【符号の説明】
【００３６】
０−１  キーボード・マウスをはじめとする入力装置
０−２  中央処理装置
０−３  表示装置
０−４  記憶メモリ装置
０−５  印刷装置
０−６  画像入力装置
０−７  外部記憶装置
【図１】
2008147852.tif 000003
【図２】
2008147852.tif 000004
【図３】
2008147852.tif 000005
【図４】
2008147852.tif 000006
【図５】
2008147852.tif 000007
【図６】
2008147852.tif 000008
【図７】
2008147852.tif 000009
【図８】
2008147852.tif 000010
【図９】
2008147852.tif 000011
【図１０】
2008147852.tif 000012
【図１１】
2008147852.tif 000013